(57)【要約】【課題】消費電力の増加が少なく、且つ、電源回路が複雑にならず、制御も簡単な画像表示装置および当該画像表示装置の制御用コンピュータプログラムを提供すること。【解決手段】残像除去処理では、先ず、表示パネルに、選択されたコンテンツが表示されている場合には（Ｓ６１：ＹＥＳ）、現在表示されている頁（ｎＰａｇｅ目）を再度、表示する（Ｓ６２）。具体的には、ＲＡＭの表示データ記憶領域に記憶されている現在表示される頁（ｎＰａｇｅ目）の表示データにより、ＣＰＵが表示制御部を制御して表示パネルに同じ頁を再度上書きする（Ｓ６２）。このようにすることにより、現在表示されている頁（ｎＰａｇｅ目）の一つ前の頁の残像が消去又は軽減され、現在表示されている頁（ｎＰａｇｅ目）が綺麗に表示される。【選択図】図１０
2011075908.tif 000002
【特許請求の範囲】
【請求項１】
電力の供給の停止後も画像の表示状態が維持される表示パネルを備えた画像表示装置であって、
前記表示パネルに表示される画像の書き換えを制御する書換制御手段と、
前記表示パネルの画像の書き換え後に、書き換え前の画像の残像の除去を指示する残像除去指示手段と、
当該残像除去指示手段が操作された場合に、前記表示パネルに現在表示中の画像を前記書換制御手段により、再度、書換表示させる再表示制御手段と
を備えたことを特徴とする画像表示装置。
【請求項２】
筐体と、
当該筐体に設けられ、前記表示パネルに表示されている画像の前の画像への書き換えを指示する前画像ボタンと、
前記前画像ボタンと所定間隔開けて前記筐体に設けられ、前記表示パネルに表示されている画像の次の画像への書き換えを指示する次画像ボタンと
を備え、
前記残像除去指示手段としての残像除去ボタンを前記前画像ボタンと次画像ボタンとの間に設けたことを特徴とする請求項１に記載の画像表示装置。
【請求項３】
前記表示パネルに表示される画像の残像の除去が指示された否かを記憶する残像除去記憶手段と、
前記表示パネルに表示される画像の拡大を指示する拡大指示手段と、
当該拡大指示手段からの指示に基づいて前記画像を前記表示パネルに拡大表示する拡大表示制御手段と
を備え、
前記拡大指示手段により前記画像の拡大が指示され、前記拡大表示制御手段が前記画像を前記表示パネルに拡大表示する場合には、前記書換制御手段は、同一画像を二回連続して書き換え表示することを特徴とする請求項１又は２に記載の画像表示装置。
【請求項４】
前記表示パネルに表示される画像の残像の除去が指示された否かを記憶する残像除去記憶手段と、
当該残像除去記憶手段に、画像の残像の除去が指示されたと記憶されている画像を前記表示パネルに表示する場合には、前記書換制御手段は、同一画像を二回連続して書き換え表示することを特徴とする請求項１又は２に記載の画像表示装置。
【請求項５】
電力の供給の停止後も画像の表示状態が維持される表示パネルと、前記表示パネルの画像の書き換え後に、書き換え前の画像の残像の除去を指示する残像除去指示手段とを備えた画像表示装置の制御をＣＰＵに行わせるコンピュータプログラムであって、
前記表示パネルの画像の書き換え後に、前記残像除去指示手段が操作された場合に、前記表示パネルに現在表示中の画像を、再度、書換表示させる再表示制御処理を行うことを特徴とするコンピュータプログラム。
【発明の詳細な説明】
【技術分野】
【０００１】
本発明は、電源からの電力供給が断たれた場合でも画像表示が維持される不揮発性表示部を備えた画像表示装置、および、その画像表示装置の制御をＣＰＵに行わせるコンピュータプログラムに関する。
【背景技術】
【０００２】
従来、電気泳動型表示体等の不揮発性表示体を備えた画像表示装置が知られている。不揮発性表示体を備えた画像表示装置では、一定時間の間操作されずに放置され自動的に消費電力を抑えた省電力状態になった場合でも、省電力状態に移行する時に表示されている画像は消去されずに維持される。この電気泳動型表示体を備えた画像表示装置では、新たな画像に書き換えた時に、前の画像が残像として残るという問題があった。この問題を解決するために、特許文献１に記載の発明では、新たに他の画像を書き込む前に、比較的高い電圧を用いたリセット工程を行うことが提案されている。
【０００３】
また、特許文献２に記載の発明では、電気泳動素子に第１の画像、第２の画像を表示させる第１、第２の工程間で、電気泳動素子を残像が存在しかつ非表示である状態に設定するための第１の電圧を印加する第１のリセット工程と、電気泳動素子を残像が存在せずかつ非表示である状態に設定すべく、前記第１のリセット工程を行う頻度より低い頻度で、前記第１の電圧より高い第２の電圧を印加する第２のリセット工程と行うことが提案されている。
【先行技術文献】
【特許文献】
【０００４】
【特許文献１】特開２００２−１４９１１５号公報
【特許文献２】特開２００５−２８３８２０号公報
【発明の概要】
【発明が解決しようとする課題】
【０００５】
しかしながら、特許文献１に記載の画像表示装置では、高電圧を印加するので、電力の消費が大きいという問題点があった。また、特許文献２に記載の発明は、電源回路が複雑になり、制御の処理も複雑化するという問題点がある。
【０００６】
本発明は、上記問題点を解決するためになされたものであり、消費電力の増加が少なく、且つ、電源回路が複雑にならず、制御も簡単な画像表示装置および当該画像表示装置の制御用コンピュータプログラムを提供することを目的とする。
【課題を解決するための手段】
【０００７】
本発明の第一の態様にかかる画像表示装置は、電力の供給の停止後も画像の表示状態が維持される表示パネルを備えた画像表示装置であって、前記表示パネルに表示される画像の書き換えを制御する書換制御手段と、前記表示パネルの画像の書き換え後に、書き換え前の画像の残像の除去を指示する残像除去指示手段と、当該残像除去指示手段が操作された場合に、前記表示パネルに現在表示中の画像を前記書換制御手段により、再度、書換表示させる再表示制御手段とを備えている。
【０００８】
第一の態様にかかる画像表示装置では、残像除去指示手段が操作された場合に、表示パネルに現在表示中の画像を書換制御手段により、再度、書換表示させるだけで、残像の軽減を行うので、高電圧回路が不要で、電源回路や制御も複雑になることがない。
【０００９】
前記画像表示装置は、筐体と、当該筐体に設けられ、前記表示パネルに表示されている画像の前の画像への書き換えを指示する前画像ボタンと、前記前画像ボタンと所定間隔開けて前記筐体に設けられ、前記表示パネルに表示されている画像の次の画像への書き換えを指示する次画像ボタンとを備え、前記残像除去指示手段としての残像除去ボタンを前記前画像ボタンと次画像ボタンとの間に設けてもよい。
【００１０】
この場合には、残像除去ボタンが前画像ボタンと次画像ボタンとの間に設けられるので、書き換え操作（前画像ボタンと次画像ボタン）後に残像除去の操作が容易に出来る。
【００１１】
前記画像表示装置は、前記表示パネルに表示される画像の残像の除去が指示された否かを記憶する残像除去記憶手段と、前記表示パネルに表示される画像の拡大を指示する拡大指示手段と、当該拡大指示手段からの指示に基づいて前記画像を前記表示パネルに拡大表示する拡大表示制御手段とを備え、前記拡大指示手段により前記画像の拡大が指示され、前記拡大表示制御手段が前記画像を前記表示パネルに拡大表示する場合には、前記書換制御手段は、同一画像を二回連続して書き換え表示するようにしてもよい。
【００１２】
画像が拡大表示される場合には、残像が目立ちやすいが、拡大表示時に同一画像を二回連続して書き換え表示するので、残像を軽減できる。
【００１３】
前記画像表示装置は、前記表示パネルに表示される画像の残像の除去が指示された否かを記憶する残像除去記憶手段と、当該残像除去記憶手段に、画像の残像の除去が指示されたと記憶されている画像を前記表示パネルに表示する場合には、前記書換制御手段は、同一画像を二回連続して書き換え表示するようにしてもよい。
【００１４】
一度、残像の除去が指示された画像は、書き換え前の画像の残像が出やすい画像であるので、自動的に残像の除去の処理をすることにより、一々、残像除去の指示をする必要がなくなる。
【００１５】
本発明の第二の態様にかかるコンピュータプログラムは、電力の供給の停止後も画像の表示状態が維持される表示パネルと、前記表示パネルの画像の書き換え後に、書き換え前の画像の残像の除去を指示する残像除去指示手段とを備えた画像表示装置の制御をＣＰＵに行わせるコンピュータプログラムであって、前記表示パネルの画像の書き換え後に、前記残像除去指示手段が操作された場合に、前記表示パネルに現在表示中の画像を、再度、書換表示させる再表示制御処理を行うことを特徴とする。
【００１６】
第二の態様にかかるコンピュータプログラムを画像表示装置のＣＰＵで実行することにより、簡単な処理プログラムで、残像を容易に除去することができる。
【図面の簡単な説明】
【００１７】
【図１】画像表示装置１の正面図である。
【図２】画像表示装置１の電気的構成を示すブロック図である。
【図３】ＣＰＵ２１によるメインルーチンのフローチャートである。
【図４】一覧表示処理のサブルーチンである。
【図５】キー入力待機処理のサブルーチンを示すフローチャートである。
【図６】コンテンツ一覧選択処理のサブルーチンを示すフローチャートである。
【図７】コンテンツ決定処理のサブルーチンを示すフローチャートである。
【図８】頁めくり処理（次）のサブルーチンを示すフローチャートである。
【図９】頁めくり処理（前）のサブルーチンを示すフローチャートである。
【図１０】残像除去処理のサブルーチンを示すフローチャートである。
【図１１】第二実施のキー入力待機処理のサブルーチンを示すフローチャートである。
【図１２】第二実施の形態のコンテンツ決定処理のサブルーチンを示すフローチャートである。
【図１３】第二実施の形態の頁めくり処理（次）のサブルーチンを示すフローチャートである。
【図１４】第二実施の形態の頁めくり処理（前）のサブルーチンを示すフローチャートである。
【図１５】第二実施の形態の残像除去処理のサブルーチンを示すフローチャートである。
【図１６】第二実施の形態の拡大表示処理のサブルーチンを示すフローチャートである。
【図１７】第二実施の形態の文書データの構造の模式図である。
【図１８】第二実施の形態の文書データの構造の模式図である。
【図１９】第三実施の形態の頁めくり処理（次）のサブルーチンを示すフローチャートである。
【図２０】第三実施の形態の頁めくり処理（前）処理のサブルーチンを示すフローチャートである。
【発明を実施するための形態】
【００１８】
以下、本発明に係る画像表示装置および画像表示装置の制御用コンピュータプログラムを具現化した画像表示装置１について、図面を参照して説明する。なおこれらの図面は、本発明が採用しうる技術的特徴を説明するために用いられるものであり、記載されている画像表示装置の構成、各種処理のフローチャートなどは、それのみに限定する趣旨ではなく、単なる説明例である。
【００１９】
図１を参照し、画像表示装置１の概要について説明する。画像表示装置１は、正面視略長方形状を有している。画像表示装置１は、略長方形状の表示パネル２を正面側に備えている。表示パネル２は、不揮発性の表示素子から構成されている。不揮発性の表示素子は、表示中の像を書き換える場合にのみ電力を必要とし、電力の供給が断たれても表示中の像を保持することが可能であるという特性を有している。表示パネル２としては、従来周知の様々な不揮発性の表示素子が使用可能である。例えば、マイクロカプセル方式や電気泳動式等の不揮発性の表示素子が使用可能である。なお、図１に示す画像表示装置１は、表示パネル２に白色のみの画面が表示されている。
【００２０】
画像表示装置１は、表示パネル２の右側に、上下方向に並んだ複数の選択ボタン３を備えている。選択ボタン３は、表示パネル２のうち選択ボタン３の左側部分に表示される選択メニューのうちいずれかを選択する場合に使用される。
【００２１】
画像表示装置１は、選択ボタン３の右側に、電源をオンオフするための電源スイッチ４、メニューを表示させるためのメニューボタン５、表示可能なコンテンツのタイトルを一覧表示させるための一覧表示ボタン１１、一覧表示されているタイトルを更新するための一覧選択ボタン１２、ドキュメントを閉じるための閉ボタン６、ドキュメントを拡大するための拡大ボタン７、頁を次の頁に送る次ボタン８、頁を前の頁に戻す前ボタン９、残像除去を指示する残像除去ボタン１０が配置されている。
【００２２】
図２に示すように、画像表示装置１は、内部に電池３１を備えている。画像表示装置１は、電池３１を電源として動作する。電池３１としては、電池であれば特段限定されず、従来周知の電池が使用可能である。例えば、リチウムイオン電池やニッケル水素電池等が使用可能である。
【００２３】
図２を参照して、画像表示装置１の電気的構成について説明する。画像表示装置１は、ＣＰＵ２１とＲＯＭ２４とＲＡＭ２５とを備えている。ＣＰＵ２１は、表示パネル２の表示制御等を司る。
【００２４】
ＲＯＭ２４は、プログラム記憶領域２４１とその他の情報記憶領域２４２とを少なくとも備えている。プログラム記憶領域２４１には、ＣＰＵ２１が各種の処理等を実行するために必要なプログラムデータが記憶されている。ＣＰＵ２１はＲＯＭ２４と電気的に接続されている。ＣＰＵ２１は、ＲＯＭ２４の記憶領域にアクセスできる。
【００２５】
また、ＲＡＭ２５は、表示データを一時的に記憶する表示データ記憶領域２５１と、現在表示されている頁数を記憶する頁数（ｎＰａｇｅ）記憶領域２５２と、その他の情報記憶領域２５３とを少なくとも備えている。ＣＰＵ２１はＲＡＭ２５と電気的に接続されている。ＣＰＵ２１は、ＲＡＭ２５の記憶領域にアクセスできる。
【００２６】
画像表示装置１は、メモリカードスロット２６を備えている。メモリカードスロット２６には、メモリカード３５が挿入される。メモリカード３５は、表示データ記憶領域３５１を少なくとも備えている。表示データ記憶領域３５１には、表示パネル２に表示させる表示データが記憶される。ＣＰＵ２１はメモリカードスロット２６を介してメモリカード３５と電気的に接続する。ＣＰＵ２１は、メモリカード３５の記憶領域にアクセスできる。
【００２７】
画像表示装置１は、表示パネル２と表示制御部２３とを備えている。表示制御部２３は、表示パネル２の駆動制御を行う。ＣＰＵ２１は表示制御部２３と電気的に接続する。表示制御部２３は表示パネル２と接続する。ＣＰＵ２１は、表示制御部２３を介して表示パネル２に所望の像を表示させることができる。
【００２８】
ＣＰＵ２１は電源スイッチ４と電気的に接続する。ＣＰＵ２１は、ユーザによって電源スイッチ４が押下されたことを検出できる。画像表示装置１は、選択ボタン３、メニューボタン５、一覧表示ボタン１１、一覧選択ボタン１２、閉ボタン６、拡大ボタン７、次ボタン８、前ボタン９、残像除去ボタン１０を備えているが、これらを総称して「入力部３４」という。ＣＰＵ２１は入力部３４と電気的に接続する。ＣＰＵ２１は、ユーザによって入力部３４が操作されたことを検出できる。
【００２９】
画像表示装置１は、電池３１と電源制御部３０とを備えている。ＣＰＵ２１は、電源制御部３０と接続される。電池３１は電源制御部３０と接続される。これによって、電池３１から電源制御部３０を介してＣＰＵ２１に電力が供給される。なお、図示しないが、画像表示装置１には、ＵＳＢ（Ｕｎｉｖｅｒｓａｌ  Ｓｅｒｉａｌ  Ｂｕｓ）ケーブルが接続されるＵＳＢコネクタとＡＣアダプタが接続されるＡＣコネクタが設けられている。また、電池３１の充電を行う充電回路が設けられている。充電回路は、ＵＳＢコネクタ又はＡＣコネクタから供給される電流により、電池３１を充電することができる。
【００３０】
画像表示装置１は、電圧検出回路３２を備えている。電圧検出回路３２は、電池３１の電圧を検出する。電圧検出回路３２では、電池３１の電圧が抵抗等によって分圧される。分圧された電圧がＡ／Ｄコンバータによってデジタル信号に変換される。ＣＰＵ２１は、Ａ／Ｄコンバータによって変換されたデジタル信号を検出することによって、電池３１の電圧を検出する。電圧検出回路３２は、ＣＰＵ２１と電気的に接続する。電池３１は、電圧検出回路３２と接続する。
【００３１】
画像表示装置１は、タイマ３８を備えている。ＣＰＵ２１はタイマ３８と接続される。タイマ３８は時間を計測し、計測された時間は、ＣＰＵ２１によって認識される。
【００３２】
画像表示装置１は、アンテナ４０と通信部３９とを備えている。アンテナ４０は、通信部３９と電気的に接続する。通信部３９は、ＣＰＵ２１と電気的に接続する。通信部３９は、例えば、ブルートゥースモジュール等の通信モジュールを備えている。ＣＰＵ２１は、通信部３９とアンテナ４０とを介して、外部機器とデータ通信を行うことができる。
【００３３】
次に、図３に示すフローチャートを参照して、本実施形態の画像表示装置１が行うメイン処理について説明する。メイン処理は、ＲＯＭ２４１のプログラム記憶領域２４１に記憶されているプログラムに従ってＣＰＵ２１が実行する。尚、以下に説明する各処理のプログラムは、ＲＯＭ２４１のプログラム記憶領域２４１に記憶されている。
【００３４】
図３に示すように、使用者が電源スイッチ４を操作して電源がＯＮとなると、ＣＰＵ２１は一覧表示処理を行う（Ｓ１）。この一覧表示処理は、図４のサブルーチンに示すように、画像表示装置１が保持している全コンテンツのタイトルの情報を取得する（Ｓ７１）。具体的には、ＣＰＵ２１は、メモリカード３５の表示データ記憶領域３５１に記憶している全コンテンツのタイトルの情報を読み出して、ＲＡＭ２５１の表示データ記憶領域２５１に記憶する（Ｓ７１）。次いで、ＣＰＵ２１からの指令で表示制御部２３が表示パネル２に、選択ボタン３に対応させて、表示できるコンテンツのタイトルの一覧表示を行う（Ｓ７２）。次いで、画像表示装置１は、電源スイッチ４が操作されて電源がＯＦＦになるまで（Ｓ２：ＮＯ）、入力待機状態となる（Ｓ３）。この入力待機状態では、図５に示すキー入力待機処理のサブルーチンが実行される。尚、電源スイッチ４が操作されて電源がＯＦＦになると（Ｓ２：ＹＥＳ）処理を終了する。
【００３５】
次に、図５に示すキー入力待機処理のサブルーチンについて説明する。このキー入力待機処理のサブルーチンでは、画像表示装置１の入力部３４の操作に応じて、コンテンツ一覧選択処理（Ｓ１１）、コンテンツ決定処理（Ｓ１３）、頁めくり処理（Ｓ１５）、残像除去処理（Ｓ１７）、一覧表示処理（Ｓ１９）が実行される。
【００３６】
先ず、画像表示装置１の一覧選択ボタン１２が押下されるとコンテンツ一覧選択操作が行われたと判断され（Ｓ１０：ＹＥＳ）、コンテンツ一覧選択処理が行われる（Ｓ１１）。このコンテンツ一覧選択処理（Ｓ１１）は、図６に示すコンテンツ一覧選択処理のサブルーチンに従って行われる。このコンテンツ一覧選択処理のサブルーチンでは、表示パネル２に、コンテンツの一覧表示が行われている場合には（Ｓ２１：ＹＥＳ）、表示されているコンテンツの一覧を次のコンテンツの一覧に更新する（Ｓ２２）。尚、Ｓ２２の処理で、現在一覧表示されているコンテンツの一覧が最後のもの場合には、最初のコンテンツの一覧に戻って表示する。その後、キー入力待機状態（Ｓ３）に戻る。尚、表示パネル２にコンテンツの一覧表示が行われていない場合には（Ｓ２１：ＮＯ）、キー入力待機状態に戻る（Ｓ３）。尚、Ｓ１０の判断処理でＮＯと判断された場合には、Ｓ１２の判断処理に移行する。
【００３７】
次に、選択ボタン３が押下されて、表示パネル２に一覧表示されているコンテンツの中から表示するコンテンツの選択の決定操作が行われた場合には（Ｓ１２：ＹＥＳ）、コンテンツ決定処理が行われる（Ｓ１３）。このコンテンツ決定処理は、図７に示すサブルーチンに従って行われる。図７に示すコンテンツ決定処理のサブルーチンでは、先ず、表示パネル２に、選択ボタン３に対応して表示できるコンテンツのタイトルの一覧表示が行われている場合には（Ｓ３１：ＹＥＳ）、押下された選択ボタン３に対応した該当コンテンツのコンテンツデータ（表示データ）をメモリカード３５の表示データ記憶領域３５１から取得し、ＲＡＭ２５の表示データ記憶領域２５１に記憶する（Ｓ３２）。次いで、変数ｎＰａｇｅ＝１として、ＲＡＭ２５のｎＰａｇｅ記憶領域２５２に記憶する（Ｓ３３）。次いで、表示パネル２にＳ３２で取得したコンテンツデータ（表示データ）のｎＰａｇｅ目に該当する頁を表示する（Ｓ３４）。この場合には、１頁目を表示する（Ｓ３４）。その後、キー入力待機状態（Ｓ３）に戻る。尚、表示パネル２に選択ボタン３に対応して表示できるコンテンツの一覧表示が行われていない場合には（Ｓ３１：ＮＯ）、キー入力待機状態に戻る（Ｓ３）。尚、Ｓ１２の判断処理でＮＯと判断された場合には、Ｓ１４の判断処理に移行する。
【００３８】
次に、次ボタン８又は前ボタン９が押下されて行われる頁めくり操作について説明する。次ボタン８が押下された場合には（Ｓ１４：ＹＥＳ）、頁めくり処理（次）が行われる（Ｓ１５）。この場合には、図８に示す頁めくり処理（次）のサブルーチンに従って行われる。図８に示す頁めくり処理（次）では、先ず、表示パネル２に、選択されたコンテンツが表示されている場合には（Ｓ４１：ＹＥＳ）、表示されている頁が最終頁か否かを判断する（Ｓ４２）。最終頁の場合には（Ｓ４２：ＹＥＳ）、次の頁はないので、現在表示されているｎＰａｇｅ目を表示する（Ｓ４４）。また、最終頁でない場合には（Ｓ４２：ＮＯ）、変数ｎＰａｇｅ＝ｎＰａｇｅ＋１として、ＲＡＭ２５のｎＰａｇｅ記憶領域２５２に記憶する（Ｓ４３）。次いで、ｎＰａｇｅ目を表示する（Ｓ４４）。即ち、表示パネル２に表示される頁が１頁めくられたことになる。次いで、キー入力待機状態に戻る（Ｓ３）。尚、コンテンツが表示されていない場合には（Ｓ４１：ＮＯ）、キー入力待機状態に戻る（Ｓ３）。
【００３９】
また、前ボタン９が押下された場合には（Ｓ１４：ＹＥＳ）、頁めくり処理（前）が行われる（Ｓ１５）。この場合には、図９に示す頁めくり処理（前）のサブルーチンに従って行われる。図９に示す頁めくり処理（前）では、先ず、表示パネル２に、選択されたコンテンツが表示されている場合には（Ｓ５１：ＹＥＳ）、表示されている頁がｎＰａｇｅ＜２を満たすか否かを判断する（Ｓ５２）。ｎＰａｇｅ＜２を満たす場合には（Ｓ５２：ＹＥＳ）、最初の頁であり、前の頁はないので、現在表示されているｎＰａｇｅ目を表示する（Ｓ５４）。また、ｎＰａｇｅ＜２を満たさない場合には（Ｓ５２：ＮＯ）、変数ｎＰａｇｅ＝ｎＰａｇｅ−１として、ＲＡＭ２５のｎＰａｇｅ記憶領域２５２に記憶する（Ｓ５３）。次いで、ｎＰａｇｅ目を表示する（Ｓ５４）。即ち、表示パネル２に表示される頁が１頁前に戻ったことになる。次いで、キー入力待機状態に戻る（Ｓ３）。尚、コンテンツが表示されていない場合には（Ｓ５１：ＮＯ）、キー入力待機状態に戻る（Ｓ３）。尚、Ｓ１４の判断処理でＮＯと判断された場合には、Ｓ１６の判断処理に移行する。
【００４０】
また、残像除去ボタン１０が押下された場合には（Ｓ１６：ＹＥＳ）、残像除去処理（Ｓ１７）が行われる。この処理は、図１０に示す残像除去処理のサブルーチンに従って行われる。図１０に示す残像除去処理では、先ず、表示パネル２に、選択されたコンテンツが表示されている場合には（Ｓ６１：ＹＥＳ）、現在表示されている頁（ｎＰａｇｅ目）を再度、表示する（Ｓ６２）。具体的には、ＲＡＭ２５の表示データ記憶領域２５１に記憶されている現在表示される頁（ｎＰａｇｅ目）の表示データにより、ＣＰＵ２１が表示制御部２３を制御して表示パネル２に同じ頁を再度上書きする（Ｓ６２）。このようにすることにより、現在表示されている頁（ｎＰａｇｅ目）の一つ前の頁の残像が消去又は軽減され、現在表示されている頁（ｎＰａｇｅ目）が綺麗に表示される。次いで、キー入力待機状態に戻る（Ｓ３）。尚、コンテンツが表示されていない場合には（Ｓ６１：ＮＯ）、キー入力待機状態に戻る（Ｓ３）。尚、Ｓ１６の判断処理でＮＯと判断された場合には、Ｓ１８の判断処理に移行する。
【００４１】
また、一覧表示ボタン１１が押下されて、一覧表示操作がなされた場合には（Ｓ１８：ＹＥＳ）、一覧表示処理が行われる（Ｓ１９）。この一覧表示処理は、図４のサブルーチンにしたがって、画像表示装置１が保持している全コンテンツのタイトルの情報を取得し（Ｓ７１）、ＣＰＵ２１からの指令で表示制御部２３が表示パネル２に、選択ボタン３に対応させて、表示できるコンテンツのタイトルの一覧表示を行う（Ｓ７２）。次いで、画像表示装置１は、電源スイッチ４が操作されて電源がＯＦＦになるまで（Ｓ２：ＮＯ）、入力待機状態となる（Ｓ３）。尚、Ｓ１８の判断処理でＮＯと判断された場合には、キー入力待機状態となる（Ｓ３）。
【００４２】
以上説明したように、上記第一実施の形態では、残像除去の指示がなされた場合に、特別な高電圧等を用いて残像除去する必要が無く、単に、現在表示されている頁の画像を再度表示するのみで、複雑な回路や複雑な処理を行うことなしに、残像除去処理を行うことができる。また、残像除去ボタン１０が頁を次の頁に送る次ボタン８と頁を前の頁に戻す前ボタン９との間に配置されているので、指の移動量が少なく操作がし易い。
【００４３】
次に、本発明の第二実施の形態について、図３、図４、図６、図７、図１１〜図１８を参照して説明する。この第二実施の形態では、表示される頁が過去に残像除去処理が行われた頁か否かを残像フラグを用いて記憶し、拡大表示が行われる場合に、「残像フラグ＝ｔｒｕｅ」となっている画像は、同じ頁データの拡大表示を２回繰り返すものである。
【００４４】
この第二実施の形態では、先ず、図３に示すように、使用者が電源スイッチ４を操作して電源がＯＮとなると、ＣＰＵ２１は一覧表示処理を行う（Ｓ１）。この一覧表示処理は、図４のサブルーチンに示すように、画像表示装置１が保持している全コンテンツの情報を取得する（Ｓ７１）。具体的には、ＣＰＵ２１は、メモリカード３５の表示データ記憶領域３５１に記憶している全コンテンツのタイトルの情報を読み出して、ＲＡＭ２５１の表示データ記憶領域２５１に記憶する（Ｓ７１）。次いで、ＣＰＵ２１からの指令で表示制御部２３が表示パネル２に、選択ボタン３に対応させて、表示できるコンテンツのタイトルの一覧表示を行う（Ｓ７２）。次いで、画像表示装置１は、電源スイッチ４が操作されて電源がＯＦＦになるまで（Ｓ２：ＮＯ）、入力待機状態となる（Ｓ３）。この入力待機状態では、図１１に示すキー入力待機処理のサブルーチンが実行される。
【００４５】
次に、図１１に示すキー入力待機処理のサブルーチンについて説明する。このキー入力待機処理のサブルーチンでは、画像表示装置１の入力部３４の操作に応じて、コンテンツ一覧選択処理（Ｓ８２）、コンテンツ決定処理（Ｓ８４）、頁めくり処理（Ｓ８６）、残像除去処理（Ｓ８８）、一覧表示処理（Ｓ９０）、拡大表示処理（９２）が実行される。
【００４６】
先ず、画像表示装置１の一覧選択ボタン１２が押下されるとコンテンツ一覧選択操作が行われたと判断され（Ｓ８１：ＹＥＳ）、コンテンツ一覧選択処理が行われる（Ｓ８２）。このコンテンツ一覧選択処理（Ｓ８２）は、図６に示すコンテンツ一覧選択処理のサブルーチンに従って、第一実施の形態と同様に行われる。尚、Ｓ８１の判断処理でＮＯと判断された場合には、Ｓ８３の判断処理に移行する。
【００４７】
次に、選択ボタン３が押下されて、表示パネル２に一覧表示されているコンテンツの中から表示するコンテンツの決定操作が行われた場合には（Ｓ８３：ＹＥＳ）、コンテンツ決定処理が行われる（Ｓ８４）。このコンテンツ決定処理は、図１２に示すサブルーチンに従って行われる。図１２に示すコンテンツ決定処理のサブルーチンでは、先ず、表示パネル２に、選択ボタン３に対応して表示できるコンテンツの一覧表示が行われている場合には（Ｓ８２１：ＹＥＳ）、一覧表示されている表示データ（文書データ）の全ての残像フラグ＝ｆａｌｓｅとする（Ｓ８２２）。次いで、押下された選択ボタン３に対応した該当コンテンツのコンテンツデータをメモリカード３５の表示データ記憶領域３５１から取得し、ＲＡＭ２５の表示データ記憶領域２５１に記憶する（Ｓ８２３）。
【００４８】
ここで、図１７及び図１８を参照して、残像フラグの記憶について説明する。メモリカード３５の表示データ記憶領域３５１及びＲＡＭ２５の表示データ記憶領域２５１に記憶された表示データとしての文書データには、頁に対応して、残像フラグを記憶できるようになっている。残像フラグ：「false」は、残像除去処理無しを示し、残像フラグ：「true」は、残像除去処理有りを示す。例えば、図１７に示すように、文書Ａが第１頁〜第６頁あった場合に、一例として、第１頁：false、第２頁：false、第３頁：true、第４頁：true、第５頁：false、第６頁：falseと記憶される。また、文書Ｂが第１頁〜第３頁あった場合に、一例として、第１頁：false、第２頁：false、第３頁：true、と記憶される。ここで、例えば、文書Ａの第５頁が残像除去処理された場合には、図１８に示すように、文書Ａの第５頁：trueとなる。
【００４９】
図１２に示す該当コンテンツのコンテンツデータの取得処理（Ｓ８２３）が終了すると、次いで、表示する頁を示す変数ｎＰａｇｅ＝１とする（Ｓ８２４）。次いで、Ｓ８２３で取得したコンテンツデータのｎＰａｇｅ目に該当する頁を表示パネル２に表示する（Ｓ８２５）。この場合には、１頁目を表示する（Ｓ８２５）。その後、キー入力待機状態（Ｓ３）に戻る。尚、表示パネル２に選択ボタン３に対応して表示できるコンテンツの一覧表示が行われていない場合には（Ｓ８２１：ＮＯ）、キー入力待機状態に戻る（Ｓ３）。尚、Ｓ８３の判断処理でＮＯと判断された場合には、Ｓ８５の判断処理に移行する。
【００５０】
次に、次ボタン８又は前ボタン９が押下されて行われる頁めくり操作について説明する。次ボタン８が押下された場合には（Ｓ８５：ＹＥＳ）、頁めくり処理（次）が行われる（Ｓ８６）。この場合には、図１３に示す頁めくり処理（次）のサブルーチンに従って行われる。図１３に示す頁めくり処理（次）では、先ず、表示パネル２に、選択されたコンテンツが表示されている場合には（Ｓ１４１：ＹＥＳ）、表示されている頁が最終頁か否かを判断する（Ｓ１４２）。最終頁の場合には（Ｓ１４２：ＹＥＳ）、次の頁はないので、現在表示されているｎＰａｇｅ目を表示する（Ｓ１４５）。また、最終頁でない場合には（Ｓ１４２：ＮＯ）、変数ｎＰａｇｅ＝ｎＰａｇｅ＋１として、ＲＡＭ２５のｎＰａｇｅ記憶領域２５２に記憶する（Ｓ１４３）。次いで、Ｓ１４３で「＋１」された変数ｎＰａｇｅに対応する表示データ（文書データ）の該当頁に残像フラグ：「false」を付加データとして記憶する（Ｓ１４４）。次いで、ｎＰａｇｅ目を表示する（Ｓ１４５）。即ち、表示パネル２に表示される頁が１頁めくられたことになる。次いで、キー入力待機状態に戻る（Ｓ３）。尚、コンテンツが表示されていない場合には（Ｓ１４１：ＮＯ）、キー入力待機状態に戻る（Ｓ３）。
【００５１】
また、前ボタン９が押下された場合には（Ｓ８５：ＹＥＳ）、頁めくり処理（前）が行われる（Ｓ８６）。この場合には、図１４に示す頁めくり処理（前）のサブルーチンに従って行われる。図１４に示す頁めくり処理（前）では、先ず、表示パネル２に、選択されたコンテンツが表示されている場合には（Ｓ１５１：ＹＥＳ）、表示されている頁がｎＰａｇｅ＜２を満たすか否かを判断する（Ｓ１５２）。ｎＰａｇｅ＜２を満たす場合には（Ｓ１５２：ＹＥＳ）、最初の頁であり、前の頁はないので、現在表示されているｎＰａｇｅ目を表示する（Ｓ１５５）。また、ｎＰａｇｅ＜２を満たさない場合には（Ｓ１５２：ＮＯ）、変数ｎＰａｇｅ＝ｎＰａｇｅ−１として、ＲＡＭ２５のｎＰａｇｅ記憶領域２５２に記憶する（Ｓ１５３）。次いで、Ｓ１５３で「−１」された変数ｎＰａｇｅに対応する表示データ（文書データ）の該当頁に残像フラグ：「false」を付加データとして記憶する（Ｓ１５４）。次いで、ｎＰａｇｅ目を表示する（Ｓ１５５）。即ち、表示パネル２に表示される頁が１頁前に戻ったことになる。次いで、キー入力待機状態に戻る（Ｓ３）。尚、コンテンツが表示されていない場合には（Ｓ１５１：ＮＯ）、キー入力待機状態に戻る（Ｓ３）。尚、Ｓ８５の判断処理でＮＯと判断された場合には、Ｓ８７の判断処理に移行する。
【００５２】
また、残像除去ボタン１０が押下された場合には（Ｓ８７：ＹＥＳ）、残像除去処理（Ｓ８８）が行われる。この処理は、図１５に示す残像除去処理のサブルーチンに従って行われる。図１５に示す残像除去処理では、先ず、表示パネル２に、選択されたコンテンツが表示されている場合には（Ｓ８８１：ＹＥＳ）、表示データ（文書データ）の該当頁に残像フラグ：「true」を付加データとして記憶する（Ｓ８８２）。そして、現在表示されている頁（ｎＰａｇｅ目）を再度、表示する（Ｓ８８３）。具体的には、ＲＡＭ２５の表示データ記憶領域２５１に記憶されている現在表示される頁（ｎＰａｇｅ目）の表示データにより、ＣＰＵ２１が表示制御部２３を制御して表示パネル２に同じ頁を再度上書きする。このようにすることにより、現在表示されている頁（ｎＰａｇｅ目）の一つ前の頁の残像が消去又は軽減され、現在表示されている頁（ｎＰａｇｅ目）が綺麗に表示される。次いで、キー入力待機状態に戻る（Ｓ３）。尚、コンテンツが表示されていない場合には（Ｓ８８１：ＮＯ）、キー入力待機状態に戻る（Ｓ３）。尚、Ｓ８７の判断処理でＮＯと判断された場合には、Ｓ８９の判断処理に移行する。
【００５３】
また、一覧表示ボタン１１が押下されて、一覧表示操作がなされた場合には（Ｓ８９：ＹＥＳ）、一覧表示処理が行われる（Ｓ９０）。この一覧表示処理は、図４のサブルーチンにしたがって、画像表示装置１が保持している全コンテンツのタイトルの情報を取得し（Ｓ７１）、ＣＰＵ２１からの指令で表示制御部２３が表示パネル２に、選択ボタン３に対応させて、表示できるコンテンツのタイトルの一覧表示を行う（Ｓ７２）。次いで、画像表示装置１は、電源スイッチ４が操作されて電源がＯＦＦになるまで（Ｓ２：ＮＯ）、キー入力待機状態となる（Ｓ３）。尚、Ｓ８９の判断処理でＮＯと判断された場合には、Ｓ９１の判断処理に移行する。
【００５４】
次に、拡大ボタン７が押下されて、拡大表示操作がなされた場合には（Ｓ９１：ＹＥＳ）、拡大表示処理（Ｓ９２）が行われる。この拡大表示処理（Ｓ９２）は、図１６に示す拡大表示処理のサブルーチンにしたがって行われる。拡大表示処理では、先ず、選択されたコンテンツが表示されているか否かを判断する（Ｓ９２１）。ここで、コンテンツが表示されている場合には（Ｓ９２１：ＹＥＳ）、この表示されているコンテンツの表示頁の残像フラグが「true」か「false」を判断する（Ｓ９２２）。残像フラグが「true」の場合には（Ｓ９２２：true）、現在表示されているｎＰａｇｅ目の拡大表示を連続して２回行う（Ｓ９２４、Ｓ９２５）。その後キー入力待機状態となる（Ｓ３）。また、残像フラグが「false」の場合には（Ｓ９２２：false）、現在表示されているｎＰａｇｅ目の拡大表示を１回のみ行う（Ｓ９２３）。その後キー入力待機状態となる（Ｓ３）。尚、Ｓ９１の判断処理でＮＯと判断された場合には、キー入力待機状態となる（Ｓ３）。また、Ｓ９２１の判断処理でＮＯと判断された場合には、キー入力待機状態となる（Ｓ３）。
【００５５】
以上説明したように、この第二実施の形態では、表示される頁が過去に残像除去処理が行われた頁か否かを残像フラグを用いて記憶し、拡大表示が行われる場合に、「残像フラグ＝ｔｒｕｅ」となっている頁、即ち、過去に、通常表示で残像除去処理が行われた頁は、同じ頁データの拡大表示を２回行って、残像の除去処理を行うものである。従って、通常の大きさのサイズで表示しても残像の残る画像は、拡大ボタン７を押下するだけで、残像除去ボタン１０を押下する必要なしに、残像の除去（軽減）ができる。
【００５６】
次に、本発明の第三実施の形態について、図１５、図１９、図２０を参照して説明する。この第三実施の形態では、表示される頁が過去に残像除去処理が行われた頁か否かを残像フラグを用いて記憶し、頁めくり処理（次）又は頁めくり処理（前）が行われる場合に、「残像フラグ＝ｔｒｕｅ」となっている画像は、同じ頁データ表示を２回繰り返して、残像除去ボタン１０を押下しなくても残像の除去（軽減）処理を２回行うものである。
【００５７】
従って、この第三実施の形態では、第一の実施の形態とコンテンツ一覧選択処理（Ｓ１１）、コンテンツ決定処理（Ｓ１３）、一覧表示処理（Ｓ１９）は、同じであり、異なるのは、頁めくり処理（次）、頁めくり処理（前）、残像除去処理である。従って、第一の実施の形態と異なる点のみ図１５、図１９、図２０のサブルーチンを参照して説明する。第三実施の形態では、残像除去ボタン１０が押下された場合には、図１５に示す残像除去処理が行われる。図１５に示す残像除去処理では、先ず、表示パネル２に、選択されたコンテンツが表示されている場合には（Ｓ８８１：ＹＥＳ）、表示データ（文書データ）の該当頁に残像フラグ：「true」を付加データとして記憶する（Ｓ８８２）。例えば、図１８に示す文書Ａの第５頁の残像フラグである。そして、残像除去処理として現在表示されている頁（ｎＰａｇｅ目）を再度、表示する（Ｓ８８３）。具体的には、ＲＡＭ２５の表示データ記憶領域２５１に記憶されている現在表示される頁（ｎＰａｇｅ目）の表示データにより、ＣＰＵ２１が表示制御部２３を制御して表示パネル２に同じ頁を再度上書きする。このようにすることにより、現在表示されている頁（ｎＰａｇｅ目）の一つ前の頁の残像が消去又は軽減され、現在表示されている頁（ｎＰａｇｅ目）が綺麗に表示される。次いで、キー入力待機状態に戻る（Ｓ３）。尚、コンテンツが表示されていない場合には（Ｓ８８１：ＮＯ）、キー入力待機状態に戻る（Ｓ３）。
【００５８】
次に、次ボタン８又は前ボタン９が押下されて行われる頁めくり操作について説明する。次ボタン８が押下された場合には、頁めくり処理（次）が行われる。この頁めくり処理（次）は、図１９に示す頁めくり処理（次）のサブルーチンに従って行われる。図１９に示す頁めくり処理（次）では、先ず、表示パネル２に、選択されたコンテンツが表示されている場合には（Ｓ２４１：ＹＥＳ）、表示されている頁が最終頁か否かを判断する（Ｓ２４２）。最終頁の場合には（Ｓ２４２：ＹＥＳ）、次の頁はないので、現在表示されているｎＰａｇｅ目を表示する（Ｓ２４３）。また、最終頁でない場合には（Ｓ２４２：ＮＯ）、変数ｎＰａｇｅ＝ｎＰａｇｅ＋１として、ＲＡＭ２５のｎＰａｇｅ記憶領域２５２に記憶する（Ｓ２４４）。次いで、Ｓ２４４で「＋１」された変数ｎＰａｇｅに対応する表示データ（文書データ）の該当頁の残像フラグが「true」か「false」を判断する（Ｓ２４５）。残像フラグが「true」の場合には（Ｓ２４５：true）、現在表示されているｎＰａｇｅ目の表示を連続して２回行う（Ｓ２４６、Ｓ２４３）。その後キー入力待機状態となる（Ｓ３）。また、残像フラグが「false」の場合には（Ｓ２４５：false）、現在表示されているｎＰａｇｅ目の表示を１回のみ行う（Ｓ２４３）。その後キー入力待機状態となる（Ｓ３）。Ｓ２４１の判断処理でＮＯと判断された場合には、キー入力待機状態となる（Ｓ３）。
【００５９】
また、前ボタン９が押下された場合には、頁めくり処理（前）が行われる。この場合には、図２０に示す頁めくり処理（前）のサブルーチンに従って行われる。図２０に示す頁めくり処理（前）では、先ず、表示パネル２に、選択されたコンテンツが表示されている場合には（Ｓ２５１：ＹＥＳ）、表示されている頁がｎＰａｇｅ＜２を満たすか否かを判断する（Ｓ２５２）。ｎＰａｇｅ＜２を満たす場合には（Ｓ２５２：ＹＥＳ）、最初の頁であり、前の頁はないので、現在表示されているｎＰａｇｅ目を表示する（Ｓ２５３）。また、ｎＰａｇｅ＜２を満たさない場合には（Ｓ２５２：ＮＯ）、変数ｎＰａｇｅ＝ｎＰａｇｅ−１として、ＲＡＭ２５のｎＰａｇｅ記憶領域２５２に記憶する（Ｓ２５４）。次いで、Ｓ２５４で「−１」された変数ｎＰａｇｅに対応する表示データ（文書データ）の該当頁の残像フラグが「true」か「false」を判断する（Ｓ２５５）。残像フラグが「true」の場合には（Ｓ２５５：true）、現在表示されているｎＰａｇｅ目の表示を連続して２回行う（Ｓ２５６、Ｓ２５３）。その後キー入力待機状態となる（Ｓ３）。また、残像フラグが「false」の場合には（Ｓ２５５：false）、現在表示されているｎＰａｇｅ目の表示を１回のみ行う（Ｓ２５３）。その後キー入力待機状態となる（Ｓ３）。Ｓ２５１の判断処理でＮＯと判断された場合には、キー入力待機状態となる（Ｓ３）。
【００６０】
尚、本実施の形態では、ＣＰＵ２１及び表示制御部２３が「書換制御手段」に相当し、残像除去ボタン１０が「残像除去指示手段」及び「残像除去ボタン」に相当し、図１５に示す残像除去処理を実行するＣＰＵ２１が「再表示制御手段」に相当する。また、前ボタン９が「前画像ボタン」に相当し、次ボタン８が「次画像ボタン」に相当し、図１７及び図１８に示す残像フラグが「残像除去記憶手段」に相当する。また、拡大ボタン７が「拡大指示手段」に相当し、図１６に示す拡大表示処理を実行するＣＰＵ２１が「拡大表示制御手段」に相当する。
【００６１】
以上説明したように、この第三実施の形態では、表示される頁が過去に残像除去処理が行われた頁か否かを残像フラグを用いて記憶し、「残像フラグ＝ｔｒｕｅ」となっている頁、即ち、過去に、通常表示で残像除去処理が行われた頁が表される場合は、当該頁データの表示を連続２回行って、残像の除去処理を行うことができる。従って、残像除去ボタン１０を押下する必要なしに、残像の除去（軽減）ができる。
【００６２】
なお、本発明は上記実施の形態に限定されるものではなく、種々の変更が可能である。上記実施例では入力部３４をボタンとする構成としたが、ボタン以外での入力操作で残像除去処理が実行できる構成であっても良い。また、例えば、タッチパネルを備えた構成で、特定操作（タッチパネル上の特定箇所をタッチする操作など）によって残像除去処理が実行されても良い。例えば、加速度センサやジャイロセンサ等を備えた構成として、使用者の特定ジェスチャ（画像表示装置１を振るジェスチャなど）によって残像除去処理が実行されても良い。これらの場合にも、ＧＵＩによる表示と操作との連携による２回以上の操作での指示が不要であり、１回の操作で残像の除去の指示を行えるようにすることが好ましい。
【符号の説明】
【００６３】
１  画像表示装置
２  表示パネル
３  選択ボタン
４  電源スイッチ
５  メニューボタン
６  閉ボタン
７  拡大ボタン
８  次ボタン
９  前ボタン
１０  残像除去ボタン
２１ ＣＰＵ
２３ 表示制御部
２４ ＲＯＭ
２５ ＲＡＭ
２６ メモリカードスロット
３５ メモリカード
２４１ プログラム記憶領域
２４４ 情報記憶領域
２５１ 表示データ記憶領域
２５２ 頁数（ｎＰａｇｅ）記憶領域
３５１ 表示データ記憶領域
【図１】
2011075908.tif 000003
【図２】
2011075908.tif 000004
【図３】
2011075908.tif 000005
【図４】
2011075908.tif 000006
【図５】
2011075908.tif 000007
【図６】
2011075908.tif 000008
【図７】
2011075908.tif 000009
【図８】
2011075908.tif 000010
【図９】
2011075908.tif 000011
【図１０】
2011075908.tif 000012
【図１１】
2011075908.tif 000013
【図１２】
2011075908.tif 000014
【図１３】
2011075908.tif 000015
【図１４】
2011075908.tif 000016
【図１５】
2011075908.tif 000017
【図１６】
2011075908.tif 000018
【図１７】
2011075908.tif 000019
【図１８】
2011075908.tif 000020
【図１９】
2011075908.tif 000021
【図２０】
2011075908.tif 000022